【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
発光量または受光出力の調整が可能で光学反射率を検知する複数の検知手段を有する画像形成装置であって、
前記複数の検知手段の１つの検知手段の対向面に設置された、該検知手段の発光量または受光出力を補正するための基準板と、
予め前記基準板の光学反射率を前記複数の検知手段で検知した検知結果を記憶する記憶手段と、
前記複数の検知手段で同一の記録媒体の光学反射率を検知するよう制御する記録媒体の検知制御手段と、
前記複数の検知手段による前記記憶手段に記憶された基準板の検知結果と前記検知された記録媒体の検知結果との関係から検知手段の補正が必要か否かを判定し、検知手段の補正が必要と判定された場合に、前記基準板が配置された検知手段で基準板の光学反射率を検知するよう制御する基準板の検知制御手段と、
前記基準板が設置された検知手段による前記記憶手段に記憶された基準板の検知結果と前記検知された基準板の検知結果とに基づいて、発光量または受光出力を補正すべき検知手段を特定する特定手段と、
前記特定手段により特定された検知手段の発光量または受光出力を補正する補正手段とを有することを特徴とする画像形成装置。
【請求項２】
前記基準板の検知制御手段は、
前記基準板が設置されている検知手段による前記記憶手段に記憶された基準板の検知結果と前記検知された記録媒体の検知結果との関係と、前記基準板が設置されていない検知手段による前記記憶手段に記憶された基準板の検知結果と前記検知された記録媒体の検知結果との関係とを比較して、
その相違を表わす第１の値が予め定めた第１の閾値が定める範囲に収まらない場合に、前記基準板が配置された検知手段で基準板の光学反射率を検知するよう制御し、
前記特定手段は、
前記基準板が設置された検知手段による前記記憶手段に記憶された基準板の検知結果と前記検知された基準板の検知結果とを比較して、
その相違を表わす第２の値が予め定めた第２の閾値が定める範囲に収まらない場合は、前記基準板が設置された検知手段を発光量または受光出力を補正すべき検知手段と特定し、
その相違を表わす第２の値が予め定めた第２の閾値が定める範囲に収まる場合は、前記基準板が設置されていない検知手段を発光量または受光出力を補正すべき検知手段と特定することを特徴とする請求項１に記載の画像形成装置。
【請求項３】
前記記憶手段は、更に、予め基準の記録媒体の光学反射率を前記基準板が設置されている検知手段で検知した検知結果を記憶し、
前記基準板の検知制御手段は、
前記基準板が設置されている検知手段による前記記憶手段に記憶された基準板の検知結果と前記検知された記録媒体の検知結果との関係と、前記基準板が設置されていない検知手段による前記記憶手段に記憶された基準板の検知結果と前記検知された記録媒体の検知結果との関係とを比較して、
その相違を表わす第１の値が予め定めた第１の閾値が定める範囲に収まらず、且つ前記基準板が設置された検知手段による前記記憶手段に記憶された基準の記録媒体の検知結果と前記検知された基準の記録媒体の検知結果とを比較して、その相違を表わす第３の値が予め定めた第３の閾値が定める範囲に収まる場合に、前記基準板が配置された検知手段で基準板の光学反射率を検知するよう制御し、
前記特定手段は、
前記相違を表わす第３の値が予め定めた第３の閾値が定める範囲に収まらない場合は、前記基準板が設置された検知手段を発光量または受光出力を補正すべき検知手段と特定し、
前記相違を表わす第３の値が予め定めた第３の閾値が定める範囲に収まる場合は、前記基準板が設置された検知手段による前記記憶手段に記憶された基準板の検知結果と前記検知された基準板の検知結果とを比較して、
その相違を表わす第２の値が予め定めた第２の閾値が定める範囲に収まらない場合は、前記基準板の汚れと特定し、
前記相違を表わす第２の値が予め定めた第２の閾値が定める範囲に収まる場合は、前記基準板が設置されていない検知手段を発光量または受光出力を補正すべき検知手段と特定することを特徴とする請求項１に記載の画像形成装置。
【請求項４】
前記光学反射率を検知する複数の検知手段は、原稿から画像を読み込むイメージスキャナを含むことを特徴とする請求項１乃至３のいずれか１項に記載の画像形成装置。
【請求項５】
前記光学反射率を検知する複数の検知手段は、記録媒体の搬送経路に配置された検知手段を含むことを特徴とする請求項１乃至４のいずれか１項に記載の画像形成装置。
【請求項６】
前記記録媒体の搬送経路に配置された検知手段は、記録媒体の光学反射率を検知するメディアセンサと記録媒体に形成された画像の光学反射率を検知するカラーセンサとの少なくともいずれかを含むことを特徴とする請求項５に記載の画像形成装置。
【請求項７】
発光量または受光出力の調整が可能で光学反射率を検知する複数の検知手段とを有する装置における、前記複数の検知手段から発光量または受光出力を補正すべき検知手段を特定する方法であって、
記憶手段が、前記複数の検知手段の１つの検知手段の対向面に設置される、該検知手段の発光量または受光出力を補正するための基準板の光学反射率を、予め前記複数の検知手段で検知した検知結果を記憶する記憶工程と、
記録媒体の検知制御手段が、前記複数の検知手段で同一の媒体の光学反射率を検知するよう制御する記録媒体の検知制御工程と、
基準板の検知制御手段が、前記複数の検知手段による前記記憶手段に記憶された基準板の検知結果と前記検知された媒体の検知結果との関係から検知手段の補正が必要か否かを判定し、検知手段の補正が必要と判定された場合に、前記基準板が配置された検知手段で基準板の光学反射率を検知するよう制御する基準板の検知制御工程と、
特定手段が、前記基準板が設置された検知手段による前記記憶手段に記憶された基準板の検知結果と前記検知された基準板の検知結果とに基づいて、発光量または受光出力を補正すべき検知手段を特定する特定工程とを有することを特徴とする方法。
【手続補正２】
【補正対象書類名】明細書
【補正対象項目名】００１３
【補正方法】変更
【補正の内容】
【００１３】
ここで、前記基準板の検知制御手段は、前記基準板が設置されている検知手段による前記記憶手段に記憶された基準板の検知結果と前記検知された記録媒体の検知結果との関係と、前記基準板が設置されていない検知手段による前記記憶手段に記憶された基準板の検知結果と前記検知された記録媒体の検知結果との関係とを比較して、その相違を表わす第１の値が予め定めた第１の閾値が定める範囲に収まらない場合に、前記基準板が配置された検知手段で基準板の光学反射率を検知するよう制御し、前記特定手段は、前記基準板が設置された検知手段による前記記憶手段に記憶された基準板の検知結果と前記検知された基準板の検知結果とを比較して、その相違を表わす第２の値が予め定めた第２の閾値が定める範囲に収まらない場合は、前記基準板が設置された検知手段を発光量または受光出力を補正すべき検知手段と特定し、その相違を表わす第２の値が予め定めた第２の閾値が定める範囲に収まる場合は、前記基準板が設置されていない検知手段を発光量または受光出力を補正すべき検知手段と特定する。
【手続補正３】
【補正対象書類名】明細書
【補正対象項目名】００１４
【補正方法】変更
【補正の内容】
【００１４】
また、前記記憶手段は、更に、予め基準の記録媒体の光学反射率を前記基準板が設置されている検知手段で検知した検知結果を記憶し、前記基準板の検知制御手段は、前記基準板が設置されている検知手段による前記記憶手段に記憶された基準板の検知結果と前記検知された記録媒体の検知結果との関係と、前記基準板が設置されていない検知手段による前記記憶手段に記憶された基準板の検知結果と前記検知された記録媒体の検知結果との関係とを比較して、その相違を表わす第１の値が予め定めた第１の閾値が定める範囲に収まらず、且つ前記基準板が設置された検知手段による前記記憶手段に記憶された基準の記録媒体の検知結果と前記検知された基準の記録媒体の検知結果とを比較して、その相違を表わす第３の値が予め定めた第３の閾値が定める範囲に収まる場合に、前記基準板が配置された検知手段で基準板の光学反射率を検知するよう制御し、前記特定手段は、前記相違を表わす第３の値が予め定めた第３の閾値が定める範囲に収まらない場合は、前記基準板が設置された検知手段を発光量または受光出力を補正すべき検知手段と特定し、前記相違を表わす第３の値が予め定めた第３の閾値が定める範囲に収まる場合は、前記基準板が設置された検知手段による前記記憶手段に記憶された基準板の検知結果と前記検知された基準板の検知結果とを比較して、その相違を表わす第２の値が予め定めた第２の閾値が定める範囲に収まらない場合は、前記基準板の汚れと特定し、前記相違を表わす第２の値が予め定めた第２の閾値が定める範囲に収まる場合は、前記基準板が設置されていない検知手段を発光量または受光出力を補正すべき検知手段と特定する。
【手続補正４】
【補正対象書類名】明細書
【補正対象項目名】００１５
【補正方法】変更
【補正の内容】
【００１５】
前記光学反射率を検知する複数の検知手段は、原稿から画像を読み込むイメージスキャナを含む。また、前記光学反射率を検知する複数の検知手段は、記録媒体の搬送経路に配置された検知手段を含む。前記記録媒体の搬送経路に配置された検知手段は、記録媒体の光学反射率を検知するメディアセンサと記録媒体に形成された画像の光学反射率を検知するカラーセンサとの少なくともいずれかを含む。
【手続補正５】
【補正対象書類名】明細書
【補正対象項目名】００１６
【補正方法】変更
【補正の内容】
【００１６】
また、本発明の方法は、発光量または受光出力の調整が可能で光学反射率を検知する複数の検知手段とを有する装置における、前記複数の検知手段から発光量または受光出力を補正すべき検知手段を特定する方法であって、記憶手段が、前記複数の検知手段の１つの検知手段の対向面に設置される、該検知手段の発光量または受光出力を補正するための基準板の光学反射率を、予め前記複数の検知手段で検知した検知結果を記憶する記憶工程と、記録媒体の検知制御手段が、前記複数の検知手段で同一の媒体の光学反射率を検知するよう制御する記録媒体の検知制御工程と、基準板の検知制御手段が、前記複数の検知手段による前記記憶手段に記憶された基準板の検知結果と前記検知された媒体の検知結果との関係から検知手段の補正が必要か否かを判定し、検知手段の補正が必要と判定された場合に、前記基準板が配置された検知手段で基準板の光学反射率を検知するよう制御する基準板の検知制御工程と、特定手段が、前記基準板が設置された検知手段による前記記憶手段に記憶された基準板の検知結果と前記検知された基準板の検知結果とに基づいて、発光量または受光出力を補正すべき検知手段を特定する特定工程とを有することを特徴とする。